(57)【要約】【課題】  医療行為を管理することによって、高齢者に対して十分な医療行為の機会を確保すると共に、不適切な医療行為がなされることを防止して患者の利益を確保する。【解決手段】  医療行為者のID及び位置情報と、時刻とが記憶されたGPSシステム1Aと、医療行為者ID、患者ID、医療機器ID、医療行為開始時刻及び終了時刻を含む履歴情報が記憶された操作履歴記録部1B7と、認証を実行する認証照合部1B3と、当該認証結果が記憶された認証結果保存部1B4と、医療行為開始時に医療機器IDを読み出す接続インターフェース部1B5と、医療機器IDと医療行為開始時刻及び終了時刻とを操作履歴記録部1B7に記憶させる医療機器ID取得部1B6と、マッチング用のIDを付与した履歴情報を送信する診療用マッチングID付与部1B11とを備える。【選択図】図１
2009289067.tif 000002
【特許請求の範囲】
【請求項１】
医療行為を実行する医療行為者のＩＤと、当該医療行為を実行する医療行為者の位置情報を特定する位置情報特定手段によって特定された医療行為者の位置情報と、時刻とを少なくとも含む訪問履歴のデータが記憶された位置情報記憶手段と、
前記医療行為を実行する医療行為者のＩＤ、前記医療行為の対象となる患者のＩＤ、前記医療行為に使用される医療機器のＩＤ、前記医療行為の開始時刻、及び前記医療行為の終了時刻を少なくとも含む医療行為の履歴情報が記憶された医療行為履歴情報記憶手段と、前記医療行為を行う医療行為者の認証を実行する医療行為者認証実行手段と、前記医療行為の対象となる患者の認証を実行する患者認証実行手段と、前記医療行為者認証実行手段による医療行為者の認証結果、及び前記患者認証実行手段による患者の認証結果が記憶された認証結果記憶手段と、前記医療行為の開始時に接続された医療機器から、当該医療機器に記憶された各医療機器を識別するための医療機器のＩＤを読み出す医療機器ＩＤ読み出し手段と、前記医療機器ＩＤ読み出し手段により読み出された医療機器のＩＤを前記医療行為履歴情報記憶手段に記憶させる医療機器ＩＤ書き込み手段と、前記医療機器が接続された時刻を前記医療行為の開始時刻として前記医療行為履歴情報記憶手段に記憶させる医療行為の開始時刻書き込み手段と、前記医療機器と分離された時刻を前記医療行為の終了時刻として前記医療行為履歴情報記憶手段に記憶させる医療行為の終了時刻書き込み手段と、前記医療機器との分離後、前記医療行為者のＩＤ、前記患者のＩＤ、前記医療機器のＩＤ、前記医療行為の開始時刻、及び前記医療行為の終了時刻を少なくとも含む医療行為の履歴情報を前記医療行為履歴情報記憶手段から読み出して、読み出した医療行為の履歴情報に、前記医療行為によって前記患者から得られたバイタルデータとのマッチング用のＩＤを付与して、バイタルデータとのマッチング用のＩＤを付与した医療行為の履歴情報を、通信ネットワークを介して送信する医療行為履歴情報送信手段とを備えた端末装置と、
前記端末装置から送信された前記患者から得られたバイタルデータを含む診療用データとのマッチング用のＩＤが付与された医療行為の履歴情報のデータを記憶する第１のサーバ装置と
を備えた医療行為の記録システム。
【請求項２】
前記第１のサーバ装置は、
前記位置情報記憶手段に記憶された医療行為を実行する医療行為者のＩＤと、当該医療行為を実行する医療行為者の位置情報を特定する位置情報特定手段によって特定された医療行為者の位置情報と、時刻とを少なくとも含む訪問履歴のデータと、前記端末装置から送信された前記患者から得られたバイタルデータを含む診療用データとのマッチング用のＩＤが付与された医療行為の履歴情報のデータとから前記訪問履歴のデータと、医療行為の履歴情報のデータとを関連付けたデータベースを生成する請求項１に記載の医療行為の記録システム。
【請求項３】
医療行為を実行する医療行為者のＩＤと、当該医療行為を実行する医療行為者の位置情報を特定する位置情報特定手段によって特定された医療行為者の位置情報と、時刻とを少なくとも含む訪問履歴のデータが記憶された位置情報記憶手段と、
前記医療行為を実行する医療行為者のＩＤ、前記医療行為の対象となる患者のＩＤ、前記医療行為に使用される医療機器のＩＤ、前記医療行為の開始時刻、及び前記医療行為の終了時刻を少なくとも含む医療行為の履歴情報が記憶された医療行為履歴情報記憶手段と、前記医療行為を行う医療行為者の認証を実行する医療行為者認証実行手段と、前記医療行為の対象となる患者の認証を実行する患者認証実行手段と、前記医療行為者認証実行手段による医療行為者の認証結果、及び前記患者認証実行手段による患者の認証結果が記憶された認証結果記憶手段と、前記医療行為の開始時に接続された医療機器から、当該医療機器に記憶された各医療機器を識別するための医療機器のＩＤを読み出す医療機器ＩＤ読み出し手段と、前記医療機器ＩＤ読み出し手段により読み出された医療機器のＩＤを前記医療行為履歴情報記憶手段に記憶させる医療機器ＩＤ書き込み手段と、前記医療機器が接続された時刻を前記医療行為の開始時刻として前記医療行為履歴情報記憶手段に記憶させる医療行為の開始時刻書き込み手段と、前記医療機器と分離された時刻を前記医療行為の終了時刻として前記医療行為履歴情報記憶手段に記憶させる医療行為の終了時刻書き込み手段と、前記医療機器との分離後、前記医療行為者のＩＤ、前記患者のＩＤ、前記医療機器のＩＤ、前記医療行為の開始時刻、及び前記医療行為の終了時刻を少なくとも含む医療行為の履歴情報を前記医療行為履歴情報記憶手段から読み出して、読み出した医療行為の履歴情報に、前記医療行為によって前記患者から得られたバイタルデータとのマッチング用のＩＤを付与して、バイタルデータとのマッチング用のＩＤを付与した医療行為の履歴情報を、通信ネットワークを介して送信する医療行為履歴情報送信手段と、前記医療機器との分離後、前記医療機器のＩＤと、前記患者のＩＤと、前記医療機器によって前記患者から検出されたバイタルデータとを少なくとも含む診療用データを前記診療用データ記憶手段から読み出して、読み出した前記医療機器のＩＤと、前記患者のＩＤと、前記医療機器によって検出されたバイタルデータとを含む診療用データに、前記医療行為の履歴情報とのマッチング用のＩＤを付与して、医療行為の履歴情報とのマッチング用のＩＤを付与した診療用データを、通信ネットワークを介して送信する診療用データ送信手段とを備えた端末装置と、
前記端末装置から送信された前記患者から得られたバイタルデータを含む診療用データとのマッチング用のＩＤが付与された医療行為の履歴情報のデータを記憶する第１のサーバ装置と、
前記端末装置から送信された前記医療行為の履歴情報のデータとのマッチング用のＩＤが付与された前記患者から得られたバイタルデータを含む診療用データを記憶する第２のサーバ装置と
を備えた医療行為の記録システム。
【請求項４】
前記第１のサーバ装置は、
前記位置情報記憶手段に記憶された医療行為を実行する医療行為者のＩＤと、当該医療行為を実行する医療行為者の位置情報を特定する位置情報特定手段によって特定された医療行為者の位置情報と、時刻とを少なくとも含む訪問履歴のデータと、前記端末装置から送信された前記患者から得られたバイタルデータを含む診療用データとのマッチング用のＩＤが付与された医療行為の履歴情報のデータとから前記訪問履歴のデータと、医療行為の履歴情報のデータとを関連付けた第１のデータベースを生成し、
前記第２のサーバ装置は、
前記医療行為の履歴情報とのマッチング用のＩＤと、診療用データとのマッチング用のＩＤとを用いて、前記訪問履歴のデータと医療行為の履歴情報のデータとを関連付けた第１のデータベースと、前記診療用データとを関連付けたデータを生成し、生成したデータを記憶する請求項３に記載の医療行為の記録システム。
【請求項５】
医療行為を実行する医療行為者のＩＤ、前記医療行為の対象となる患者のＩＤ、前記医療行為に使用される医療機器のＩＤ、前記医療行為の開始時刻、及び前記医療行為の終了時刻を少なくとも含む医療行為の履歴情報が記憶された医療行為履歴情報記憶手段と、
前記医療行為を行う医療行為者の認証を実行する医療行為者認証実行手段と、
前記医療行為の対象となる患者の認証を実行する患者認証実行手段と、
前記医療行為者認証実行手段による医療行為者の認証結果、及び前記患者認証実行手段による患者の認証結果が記憶された認証結果記憶手段と、
前記医療行為の開始時に接続された医療機器から、当該医療機器に記憶された各医療機器を識別するための医療機器のＩＤを読み出す医療機器ＩＤ読み出し手段と、
前記医療機器ＩＤ読み出し手段により読み出された医療機器のＩＤを前記医療行為履歴情報記憶手段に記憶させる医療機器ＩＤ書き込み手段と、
前記医療機器が接続された時刻を前記医療行為の開始時刻として前記医療行為履歴情報記憶手段に記憶させる医療行為の開始時刻書き込み手段と、
前記医療機器と分離された時刻を前記医療行為の終了時刻として前記医療行為履歴情報記憶手段に記憶させる医療行為の終了時刻書き込み手段と、
前記医療機器との分離後、前記医療行為者のＩＤ、前記患者のＩＤ、前記医療機器のＩＤ、前記医療行為の開始時刻、及び前記医療行為の終了時刻を少なくとも含む医療行為の履歴情報を前記医療行為履歴情報記憶手段から読み出して、読み出した医療行為の履歴情報に、前記医療行為によって前記患者から得られたバイタルデータとのマッチング用のＩＤを付与して、バイタルデータとのマッチング用のＩＤを付与した医療行為の履歴情報を、通信ネットワークを介して送信する医療行為履歴情報送信手段とを備えた端末装置。
【請求項６】
医療行為を実行する医療行為者のＩＤ、前記医療行為の対象となる患者のＩＤ、前記医療行為に使用される医療機器のＩＤ、前記医療行為の開始時刻、及び前記医療行為の終了時刻を少なくとも含む医療行為の履歴情報が記憶された医療行為履歴情報記憶手段と、
前記医療行為を行う医療行為者の認証を実行する医療行為者認証実行手段と、
前記医療行為の対象となる患者の認証を実行する患者認証実行手段と、
前記医療行為者認証実行手段による医療行為者の認証結果、及び前記患者認証実行手段による患者の認証結果が記憶された認証結果記憶手段と、
前記医療行為の開始時に接続された医療機器から、当該医療機器に記憶された各医療機器を識別するための医療機器のＩＤを読み出す医療機器ＩＤ読み出し手段と、
前記医療機器ＩＤ読み出し手段により読み出された医療機器のＩＤを前記医療行為履歴情報記憶手段に記憶させる医療機器ＩＤ書き込み手段と、
前記医療機器が接続された時刻を前記医療行為の開始時刻として前記医療行為履歴情報記憶手段に記憶させる医療行為の開始時刻書き込み手段と、
前記医療機器と分離された時刻を前記医療行為の終了時刻として前記医療行為履歴情報記憶手段に記憶させる医療行為の終了時刻書き込み手段と、
前記医療機器との分離後、前記医療行為者のＩＤ、前記患者のＩＤ、前記医療機器のＩＤ、前記医療行為の開始時刻、及び前記医療行為の終了時刻を少なくとも含む医療行為の履歴情報を前記医療行為履歴情報記憶手段から読み出して、読み出した医療行為の履歴情報に、前記医療行為によって前記患者から得られたバイタルデータとのマッチング用のＩＤを付与して、バイタルデータとのマッチング用のＩＤを付与した医療行為の履歴情報を、通信ネットワークを介して送信する医療行為履歴情報送信手段と、
前記医療機器との分離後、前記医療機器のＩＤと、前記患者のＩＤと、前記医療機器によって前記患者から検出されたバイタルデータとを少なくとも含む診療用データを前記診療用データ記憶手段から読み出して、読み出した前記医療機器のＩＤと、前記患者のＩＤと、前記医療機器によって検出されたバイタルデータとを含む診療用データに、前記医療行為の履歴情報とのマッチング用のＩＤを付与して、医療行為の履歴情報とのマッチング用のＩＤを付与した診療用データを、通信ネットワークを介して送信する診療用データ送信手段とを備えた端末装置。
【発明の詳細な説明】
【技術分野】
【０００１】
本発明は、医療行為を行う医療行為者によって対象となる患者になされた医療行為の履歴を記録する医療行為の記録システム、及び端末装置に関する。
【背景技術】
【０００２】
従来、医療現場においてなされる医療行為に関連して発生する医療過誤の防止を図る医療過誤防止システムが知られている（特許文献１参照）。
【特許文献１】特開２００３−２３３６７０号公報
【発明の開示】
【発明が解決しようとする課題】
【０００３】
しかしながら、かかるシステムは、医療現場、すなわち医療機関においてなされる医療行為を対象とするものであり、僻地等においてはこのまま用いることは困難である。
【０００４】
近年の急速な高齢化社会の進展に伴い、例えば高齢者が何らかの疾患を罹患した場合や外傷を負った場合であっても、既存の医療機関内に高齢者のベッドを確保することが極めて困難になりつつある。
【０００５】
また、医師の絶対数が慢性的に不足しているので、例えば僻地等においては、高齢者が医師による十分な診療を受けられない事態が発生する可能性がある。
【０００６】
かかる事態を改善する手法としては、例えば看護士、救命救急士、介護福祉士、訪問介護員といった医師資格を持たない者に、医療行為を行わせる手法が考えられる。
【０００７】
しかしながら、かかる場合を想定した場合、医療行為の適否を判定する手法は、医療行為を行う医療行為者からの自己申告による手法しか存在しないので、医療行為者が実際に医療行為の対象となる患者の元を訪問したか、医療行為者が実際に医療行為の対象となる患者に対して適正な医療行為を行ったか等に関するチェックが不十分になる可能性がある。
【０００８】
一方、かかる場合を想定した場合、医療行為を行う医療行為者は医師資格を保有する者に限らないので、不適切な医療行為がなされることによって、医療行為者が患者を取り違えたりした場合に患者が不測の不利益を被る可能性もある。
【０００９】
本発明者の医療行為に関する詳細なる考察によれば、高齢者に対して十分な医療行為の機会を確保すると共に、不適切な医療行為がなされることを防止して、患者の利益を確保する観点から、医療行為者の行う医療行為を管理することを可能にする医療行為の記録システムに対する産業界の要請が高まっている。
そこで、本発明は、医療行為者の行う医療行為を管理することによって、高齢者に対して十分な医療行為の機会を確保すると共に、不適切な医療行為がなされることを防止して、患者の利益を確保することが可能な医療行為の記録システム及び端末装置を提供することを目的とする。
【課題を解決するための手段】
【００１０】
本発明の骨子は、「医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が記憶」された構成により、医療行為者の行う医療行為を管理することによって、高齢者に対して十分な医療行為の機会を確保すると共に、不適切な医療行為がなされることを防止して患者の利益を確保することを可能にするという効果を達成することにある。
【００１１】
なお、本明細書では、医療行為者のことを訪問者と呼んでもよい。
【００１２】
また、本明細書では、「医療機器」とは、その機器の人体等に及ぼす危険度に応じ、国際機関であるＧＨＴＦ（Ｇｌｏｂａｌ Ｈａｒｍｏｎｉｚａｔｉｏｎ Ｔａｓｋ Ｆｏｒｃｅ：医療機器規制国際整合化会議）の定めるルールに基づいてクラス分類がなされている機器を総称したものであり、クラス１に分類される医療機器、換言すれば一般医療機器、クラス２に分類される医療機器、換言すれば管理医療機器、クラス３に分類される医療機器、換言すれば高度管理医療機器、クラス４に分類される医療機器、換言すれば高度管理医療機器に属する各種医療機器、クラスに関わらず、保守管理に特別の技術が必要とされる特定保守管理医療機器、及び特定保守管理医療機器の中で設置に特別の技術等が必要とされる設置管理医療機器等の全ての医療機器を包含している。
【００１３】
さて、以上のような本発明の骨子は、具体的には、以下のような手段を講じることにより実現される。
【００１４】
第１の発明は、医療行為を実行する医療行為者のＩＤと、当該医療行為を実行する医療行為者の位置情報を特定する位置情報特定手段によって特定された医療行為者の位置情報と、時刻とを少なくとも含む訪問履歴のデータが記憶された位置情報記憶手段と、医療行為を実行する医療行為者のＩＤ、前記医療行為の対象となる患者のＩＤ、前記医療行為に使用される医療機器のＩＤ、前記医療行為の開始時刻、及び前記医療行為の終了時刻を少なくとも含む医療行為の履歴情報が記憶された医療行為履歴情報記憶手段と、医療行為を行う医療行為者の認証を実行する医療行為者認証実行手段と、医療行為の対象となる患者の認証を実行する患者認証実行手段と、医療行為者認証実行手段による医療行為者の認証結果、及び患者認証実行手段による患者の認証結果が記憶された認証結果記憶手段と、医療行為の開始時に接続された医療機器から、当該医療機器に記憶された各医療機器を識別するための医療機器のＩＤを読み出す医療機器ＩＤ読み出し手段と、医療機器ＩＤ読み出し手段により読み出された医療機器のＩＤを医療行為履歴情報記憶手段に記憶させる医療機器ＩＤ書き込み手段と、医療機器が接続された時刻を医療行為の開始時刻として医療行為履歴情報記憶手段に記憶させる医療行為の開始時刻書き込み手段と、医療機器と分離された時刻を医療行為の終了時刻として医療行為履歴情報記憶手段に記憶させる医療行為の終了時刻書き込み手段と、医療機器との分離後、医療行為者のＩＤ、患者のＩＤ、医療機器のＩＤ、医療行為の開始時刻、及び医療行為の終了時刻を少なくとも含む医療行為の履歴情報を医療行為履歴情報記憶手段から読み出して、読み出した医療行為の履歴情報に、医療行為によって患者から得られたバイタルデータとのマッチング用のＩＤを付与して、バイタルデータとのマッチング用のＩＤを付与した医療行為の履歴情報を、通信ネットワークを介して送信する医療行為履歴情報送信手段とを備えた端末装置と、端末装置から送信された患者から得られたバイタルデータを含む診療用データとのマッチング用のＩＤが付与された医療行為の履歴情報のデータを記憶する第１のサーバ装置とを備えた医療行為の記録システムである。
【００１５】
これにより、医療行為者によって医療行為が実行される度に、医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が医療行為履歴情報記憶手段に記憶されるので、医療行為者の行う医療行為を管理することによって、高齢者に対して十分な医療行為の機会を確保すると共に、不適切な医療行為がなされることを防止して、患者の利益を確保することが可能となる。
【００１６】
第２の発明は、医療行為を実行する医療行為者のＩＤと、当該医療行為を実行する医療行為者の位置情報を特定する位置情報特定手段によって特定された医療行為者の位置情報と、時刻とを少なくとも含む訪問履歴のデータが記憶された位置情報記憶手段と、医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が記憶された医療行為履歴情報記憶手段と、医療行為を行う医療行為者の認証を実行する医療行為者認証実行手段と、医療行為の対象となる患者の認証を実行する患者認証実行手段と、医療行為者認証実行手段による医療行為者の認証結果、及び患者認証実行手段による患者の認証結果が記憶された認証結果記憶手段と、医療行為の開始時に接続された医療機器から、当該医療機器に記憶された各医療機器を識別するための医療機器のＩＤを読み出す医療機器ＩＤ読み出し手段と、医療機器ＩＤ読み出し手段により読み出された医療機器のＩＤを医療行為履歴情報記憶手段に記憶させる医療機器ＩＤ書き込み手段と、医療機器が接続された時刻を前記医療行為の開始時刻として医療行為履歴情報記憶手段に記憶させる医療行為の開始時刻書き込み手段と、医療機器と分離された時刻を医療行為の終了時刻として前記医療行為履歴情報記憶手段に記憶させる医療行為の終了時刻書き込み手段と、医療機器との分離後、医療行為者のＩＤ、患者のＩＤ、医療機器のＩＤ、医療行為の開始時刻、及び医療行為の終了時刻を少なくとも含む医療行為の履歴情報を医療行為履歴情報記憶手段から読み出して、読み出した医療行為の履歴情報に、医療行為によって患者から得られたバイタルデータとのマッチング用のＩＤを付与して、バイタルデータとのマッチング用のＩＤを付与した医療行為の履歴情報を、通信ネットワークを介して送信する医療行為履歴情報送信手段と、医療機器との分離後、医療機器のＩＤと、患者のＩＤと、医療機器によって患者から検出されたバイタルデータとを少なくとも含む診療用データを診療用データ記憶手段から読み出して、読み出した医療機器のＩＤと、患者のＩＤと、医療機器によって検出されたバイタルデータとを含む診療用データに、医療行為の履歴情報とのマッチング用のＩＤを付与して、医療行為の履歴情報とのマッチング用のＩＤを付与した診療用データを、通信ネットワークを介して送信する診療用データ送信手段とを備えた端末装置と、端末装置から送信された患者から得られたバイタルデータを含む診療用データとのマッチング用のＩＤが付与された医療行為の履歴情報のデータを記憶する第１のサーバ装置と、端末装置から送信された医療行為の履歴情報のデータとのマッチング用のＩＤが付与された患者から得られたバイタルデータを含む診療用データを記憶する第２のサーバ装置とを備えた医療行為の記録システムである。
【００１７】
これにより、医療行為者によって医療行為が実行される度に、医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が医療行為履歴情報記憶手段に記憶されるので、医療行為者の行う医療行為を管理することによって、高齢者に対して十分な医療行為の機会を確保すると共に、不適切な医療行為がなされることを防止して、患者の利益を確保することが可能となる。
【００１８】
第３の発明は、医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が記憶された医療行為履歴情報記憶手段と、医療行為を行う医療行為者の認証を実行する医療行為者認証実行手段と、医療行為の対象となる患者の認証を実行する患者認証実行手段と、医療行為者認証実行手段による医療行為者の認証結果、及び患者認証実行手段による患者の認証結果が記憶された認証結果記憶手段と、医療行為の開始時に接続された医療機器から、当該医療機器に記憶された各医療機器を識別するための医療機器のＩＤを読み出す医療機器ＩＤ読み出し手段と、医療機器ＩＤ読み出し手段により読み出された医療機器のＩＤを医療行為履歴情報記憶手段に記憶させる医療機器ＩＤ書き込み手段と、医療機器が接続された時刻を医療行為の開始時刻として医療行為履歴情報記憶手段に記憶させる医療行為の開始時刻書き込み手段と、医療機器と分離された時刻を医療行為の終了時刻として医療行為履歴情報記憶手段に記憶させる医療行為の終了時刻書き込み手段と、医療機器との分離後、医療行為者のＩＤ、患者のＩＤ、医療機器のＩＤ、医療行為の開始時刻、及び医療行為の終了時刻を少なくとも含む医療行為の履歴情報を医療行為履歴情報記憶手段から読み出して、読み出した医療行為の履歴情報に、医療行為によって患者から得られたバイタルデータとのマッチング用のＩＤを付与して、バイタルデータとのマッチング用のＩＤを付与した医療行為の履歴情報を、通信ネットワークを介して送信する医療行為履歴情報送信手段とを備えた端末装置である。
【００１９】
これにより、医療行為者によって医療行為が実行される度に、医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が医療行為履歴情報記憶手段に記憶されるので、医療行為者の行う医療行為を管理することによって、高齢者に対して十分な医療行為の機会を確保すると共に、不適切な医療行為がなされることを防止して、患者の利益を確保することが可能となる。
【００２０】
第４の発明は、医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が記憶された医療行為履歴情報記憶手段と、医療行為を行う医療行為者の認証を実行する医療行為者認証実行手段と、医療行為の対象となる患者の認証を実行する患者認証実行手段と、医療行為者認証実行手段による医療行為者の認証結果、及び患者認証実行手段による患者の認証結果が記憶された認証結果記憶手段と、医療行為の開始時に接続された医療機器から、当該医療機器に記憶された各医療機器を識別するための医療機器のＩＤを読み出す医療機器ＩＤ読み出し手段と、医療機器ＩＤ読み出し手段により読み出された医療機器のＩＤを医療行為履歴情報記憶手段に記憶させる医療機器ＩＤ書き込み手段と、医療機器が接続された時刻を医療行為の開始時刻として医療行為履歴情報記憶手段に記憶させる医療行為の開始時刻書き込み手段と、医療機器と分離された時刻を医療行為の終了時刻として医療行為履歴情報記憶手段に記憶させる医療行為の終了時刻書き込み手段と、医療機器との分離後、医療行為者のＩＤ、患者のＩＤ、医療機器のＩＤ、医療行為の開始時刻、及び医療行為の終了時刻を少なくとも含む医療行為の履歴情報を医療行為履歴情報記憶手段から読み出して、読み出した医療行為の履歴情報に、医療行為によって患者から得られたバイタルデータとのマッチング用のＩＤを付与して、バイタルデータとのマッチング用のＩＤを付与した医療行為の履歴情報を、通信ネットワークを介して送信する医療行為履歴情報送信手段と、医療機器との分離後、医療機器のＩＤと、患者のＩＤと、医療機器によって患者から検出されたバイタルデータとを少なくとも含む診療用データを診療用データ記憶手段から読み出して、読み出した医療機器のＩＤと、患者のＩＤと、医療機器によって検出されたバイタルデータとを含む診療用データに、医療行為の履歴情報とのマッチング用のＩＤを付与して、医療行為の履歴情報とのマッチング用のＩＤを付与した診療用データを、通信ネットワークを介して送信する診療用データ送信手段とを備えた端末装置である。
【００２１】
これにより、医療行為者によって医療行為が実行される度に、医療行為を実行する医療行為者のＩＤ、医療行為の対象となる患者のＩＤ、医療行為に使用される医療機器のＩＤ、医療行為の開始時刻、及び医療行為の終了時刻を少なくとも含む医療行為の履歴情報が医療行為履歴情報記憶手段に記憶されるので、医療行為者の行う医療行為を管理することによって、高齢者に対して十分な医療行為の機会を確保すると共に、不適切な医療行為がなされることを防止して、患者の利益を確保することが可能となる。
【００２２】
なお、本発明に係る医療行為の記録システムに関し、「位置特定手段」としては、例えば、周知の全地球測位システム（ＧＰＳ：Ｇｌｏｂａｌ Ｐｏｓｉｔｉｏｎｉｎｇ Ｓｙｓｔｅｍ）を用いてもよい。
【００２３】
また、本発明に係る医療行為の記録システムに関し、「位置特定手段」としては、患者を特定可能なシステムであればよく、患者の位置に関する情報を用いることなく患者を特定可能なシステム、例えば周知の非接触型ＩＣカード等を用いたシステムを用いてもよいことは言うまでもない。
【００２４】
なお、ここでは、説明の簡略化を図る観点から、本発明のうち「装置」、及び「方法」として表現された発明のみに関して説明を行ったが、これに限らず、本発明の要旨を変更しない範囲内で「プログラム」及び「記録媒体」等の任意のカテゴリーとして表現してもよいことは言うまでもない。
【００２５】
また、前記発明を「プログラム」として表現する場合には、前記「方法」の発明の説明中における「工程」という文言を「手順」と言う文言に読み替えるとともに、「とを含むことを特徴とする方法」という文言を「を前記装置のコンピュータに実行させるためのプログラム」と言う文言に読み替え、かつ、「装置にインストールされたプログラムであって、」というプリアンブルを新たに付加するものとする。
【００２６】
更に、前記発明を「記録媒体」として表現する場合には、前記「プログラム」の発明の説明中の「プログラム」という文言を「プログラムを記録したコンピュータ読み取り可能な記録媒体」という文言に読み替えるものとする。
【発明の効果】
【００２７】
本発明によれば、医療行為者の行う医療行為を管理することによって、高齢者に対して十分な医療行為の機会を確保すると共に、不適切な医療行為がなされることを防止して、患者の利益を確保することが可能となる。
【発明を実施するための最良の形態】
【００２８】
以下、本発明の最良の形態に関し、図面を参照して説明する。
図１は、本発明の端末装置を適用した医療行為の記録システム１の全体構成の一例を示す模式図である。
【００２９】
また、図２は、本実施の形態に係る端末装置を適用した医療行為の記録システム１の全体構成の一例を示す機能ブロック図である。
【００３０】
本実施の形態に係る医療行為の記録システム１は、例えば僻地等で医師による医療行為を受けることが出来ない高齢者等に対して、例えば看護士、救命救急士、介護福祉士、訪問介護員といった医師資格を持たない医療実行者が実行した医療行為の適否を管理するためのシステムである。
【００３１】
本実施の形態に係る医療行為の記録システム１は、医療行為を実行する医療行為者の位置を把握するＧＰＳ位置情報把握システム１Ａと、訪問医療端末装置１Ｂと、医療行為履歴サーバ装置１Ｃ（第１のサーバー装置）と、診療データサーバ装置１Ｄ（第２のサーバ装置）とを備えている。
【００３２】
なお、本実施の形態に係る医療行為の記録システム１は、ＧＰＳ位置情報把握システム１ＡとしてＤＧＰＳを用いている。ＤＧＰＳは、高度２万ｋｍに設けられた６個の軌道を１２時間で周回する２４個の図示しない人工衛星群のうち少なくとも４個の人工衛星から伝送されてくる１５００ｍＨｚの電波信号を移動局にて受信すると共に、基準局でＧＰＳによる位置測定を行い、人工衛星を用いて測定した基準局の正確な位置とＧＰＳによる測定結果との差異を、補正値として移動局に送信し、移動局ではＧＰＳの測位と補正値とを使って精度の向上を図るものである。
【００３３】
基準局１Ａ１は、ＧＰＳ受信機１Ａ１１と、１基準局位置記憶部１Ａ１２と、位置補正演算部１Ａ１３と、データリンク送信部１Ａ１４とから構成される。
【００３４】
ＧＰＳ受信機１Ａ１１は、基準局１Ａ１の位置を測定するために設けられたものであり、人工衛星からの電波信号を受信する受信アンテナ１Ａ−１を備え、当該受信アンテナ１Ａ−１によって図示しない人工衛星からの電波信号を受信する機能と、当該受信した電波信号に基づいて、基準局１Ａ１の位置を測定する機能と、測定した基準局１Ａ１の位置情報を位置補正演算部１Ａ１３に出力する機能とを有する。
【００３５】
１基準局位置記憶部１Ａ１２は、予め全ての人工衛星からの電波信号を受信することにより、測定された基準局１Ａ１の正確な位置情報が記憶されており、位置補正演算部１Ａ１３により検索され、記憶された基準局１Ａ１の位置情報が読み出される。
【００３６】
位置補正演算部１Ａ１３は、ＧＰＳ受信機１Ａ１１から位置情報を受け取ると、１基準局位置記憶部１Ａ１２を検索し、検索結果として得られた基準局１Ａ１の正確な位置情報とＧＰＳ受信機１Ａ１１により全ての人工衛星を用いずに測定された基準局１Ａ１の位置情報との差異を演算して求める機能と、当該演算結果として得られた差異を補正値データとしてデータリンク送信部１Ａ１４に出力する機能とを有する。
【００３７】
データリンク送信部１Ａ１４は、後述するデータリンク受信部２Ｃに補正値データを送信する送信アンテナ１Ｄ−１を備えており、位置補正演算部１Ａ１３から受け取った補正値データを無線により、ＧＰＳ受信装置２のデータリンク受信部２Ｃに送信する機能を有する。
【００３８】
ＧＰＳ受信装置２は、医療行為を行う医療行為者が保有しており、ＧＰＳ受信機２Ａと、測定データ一時記憶部２Ｂと、データリンク受信部２Ｃと、測位表示部２Ｄと、無線ＬＡＮ端末２Ｅとから構成されている。
【００３９】
ＧＰＳ受信機２Ａは、図示しない人工衛星からの電波信号を受信アンテナ２Ａ−１を介して受信する機能と、当該受信した電波信号に基づいてＧＰＳ受信装置２の位置を測定する機能と、測定したＧＰＳ受信装置２の位置情報をデータリンク受信部２Ｃに出力する機能とを有する。
【００４０】
測定データ一時記憶部２Ｂは、ＧＰＳ受信機２Ａにより測定された位置情報が記憶されており、データリンク受信部２Ｃにより位置情報が記憶されるとともに、データリンク送信部１Ａ１４から送信された補正値データを受け取ったデータリンク受信部２Ｃにより検索され、記憶されたＧＰＳ受信機２Ａにより測定された位置情報が読み出される。
【００４１】
データリンク受信部２Ｃは、基準局１Ａ１のデータリンク送信部１Ａ１４からの電波信号を受信する受信アンテナ２Ｃ−１を有しており、基準局１Ａ１のデータリンク送信部１Ａ１４から送信アンテナ１Ｄ−１を介して送信された補正値を受信する機能と、補正値を受け取ると、測定データ一時記憶部２Ｂを検索し、当該検索として得られたＧＰＳ受信機２Ａにより測定された位置情報に補正値を加算することにより、ＧＰＳ受信機２Ａにより測定された位置情報を訂正する機能と、訂正したＧＰＳ受信機２Ａによる位置情報を測位表示部２Ｄに出力すると共に、無線ＬＡＮ端末２Ｅに出力する機能とを有する。
【００４２】
測位表示部２Ｄは、データリンク受信部２Ｃにより訂正されたＧＰＳ受信機２Ａの測定データを外部に表示する機能を有する。
【００４３】
無線ＬＡＮ端末２Ｅは、無線アクセスポイント３へデータを送信するための送信アンテナ２Ｅ-１を備えており、データリンク受信部２Ｃから受け取った補正された位置情報を、送信アンテナ２Ｅ−１を介して無線により無線アクセスポイント３の受信アンテナ３−１に送信する機能を有する。
【００４４】
無線アクセスポイント３は、無線ＬＡＮ端末２Ｅから送信された電波信号を受信する受信アンテナ３−１を備えており、ＧＰＳ受信装置２をＬＡＮ５とルータ６とを介してインターネット７に接続する通信装置である。
【００４５】
また、無線アクセスポイント３には、このインターネット７を介してＧＰＳ位置情報把握サーバ装置４が接続されている。
【００４６】
ＧＰＳ位置情報把握サーバ装置４は、ＧＰＳ受信装置２のＩＤ、換言すればＧＰＳ受信装置２を携帯した医療行為者のＩＤと、ＧＰＳ受信装置２によって検出されたＧＰＳ受信装置２本体の位置情報、換言すれば当該ＧＰＳ受信装置２を携帯する医療行為を実行する医療行為実行者の位置情報と、時刻のデータとが対応して記憶されている位置情報データベースを有するサーバ装置であり、ＧＰＳ受信装置２から受け取った医療行為者のＩＤと、医療行為者の位置情報と、時刻のデータとを含む訪問履歴のデータを位置情報データベースに記憶させる機能と、医療行為履歴サーバ装置１Ｃからの医療行為者のＩＤを指定した位置情報の送信要求に基づいて、医療行為者のＩＤと、医療行為者の位置情報と、時刻のデータとを含む訪問履歴のデータを位置情報データベースから読み出し、読み出した医療行為者のＩＤと、医療行為実行者の位置情報と、時刻のデータとを通信ネットワークを介して医療行為履歴サーバ装置１Ｃに送信する機能とを有する。
【００４７】
なお、本実施の形態に係る医療行為の記録システム１では、訪問者の位置情報を特定するシステムとしてＤＧＰＳを用いたが、患者が特定できるのであれば、ＤＧＰＳやＧＰＳに限定されない。
【００４８】
本実施の形態に係る訪問医療端末装置１Ｂは、医療機器と接続及び分離によって記録される当該医療機器を用いた医療行為の開始時刻、医療行為の終了時刻、医療機器のＩＤと、医療行為者、又は患者の生体認証の結果とを少なくとも含む医療行為履歴情報と、医療機器のＩＤと、医療行為者のＩＤと、患者のＩＤと、医療機器によって検出されたバイタルデータとを記録するための装置である。
【００４９】
訪問医療端末装置１Ｂは、図２に示すように、生体認証用インターフェース部１Ｂ１と、認証関連処理実行部ＭＤ１と、医療機器接続インターフェース部１Ｂ５と、医療機器関連処理実行部ＭＤ２と、医療行為履歴関連処理実行部ＭＤ３と、診療用データ関連処理実行部ＭＤ４と、通信インターフェース部１Ｂ１５とを備えている。  
認証関連処理実行部ＭＤ１は、生体情報データベース１Ｂ２と、認証照合部１Ｂ３と、認証結果保存部１Ｂ４とを備えている。  
また、医療機器関連処理実行部ＭＤ２は、医療機器ＩＤ取得部１Ｂ６と、医療機器操作履歴記録部１Ｂ７と、診療用データ保存部１Ｂ８とを備えている。  
更に、医療行為履歴関連処理実行部ＭＤ３は、医療行為履歴ファイル保存部１Ｂ９と、医療行為履歴ファイル化部１Ｂ１０と、診療用データマッチングＩＤ付与部１Ｂ１１とを備えている。  
また、診療用データ関連処理実行部ＭＤ４は、診療用データファイル保存部１Ｂ１２と、診療用データファイル化部１Ｂ１３と、医療行為用データマッチングＩＤ付与部１Ｂ１４とを備えている。  
なお、本実施の形態に係る訪問医療端末装置１Ｂは、製造時に図示しない内蔵メモリにプログラムが書き込まれた、又は記録媒体もしくは通信ネットワークを介してプログラムがインストールされたコンピュータによって実現される。  
また、本実施の形態に係る訪問医療端末装置１Ｂを構成する各部は、ソフトウェアもしくはハードウェア又はハードウェアとソフトウェアとの組み合わせの何れから構成されていてもよいことは言うまでもない。
【００５０】
生体認証用インターフェース部１Ｂ１は、接触した医療行為者、又は患者のバイオメトリクス情報、例えば指紋、手のひらの静脈網、指先の静脈網に関するデータを外部から取り込むインターフェースであり、外部から取り込まれた医療行為者、患者のバイオメトリクス情報、例えば指紋、手のひらの静脈網、指先の静脈網に関するデータを認証照合部１Ｂ３に出力する。
【００５１】
生体情報データベース１Ｂ２には、医療行為者、患者のＩＤと、医療行為者、患者のバイオメトリクス情報とが読み出し／書き込み可能に記憶されている。
【００５２】
認証照合部１Ｂ３は、生体認証用インターフェース部１Ｂ１から出力された医療行為者、又は患者のバイオメトリクス情報を受け取ると、受け取った医療行為者、又は患者のバイオメトリクス情報をキーとして検索を行い、当該検索の結果、バイオメトリクス情報と一致する医療行為者、患者のデータがあるかによって、医療行為者、又は患者の認証を実行し、当該認証の結果を認証結果保存部１Ｂ４に記憶させる。
【００５３】
認証結果保存部１Ｂ４には、認証照合部１Ｂ３による生体情報データベース１Ｂ２の認証結果が記憶されている。
【００５４】
医療機器接続インターフェース部１Ｂ５は、医療機器が接続されるインターフェースであり、医療機器が接続されたことを検出すると、医療機器を検出したことを示す医療機器検出信号を医療機器ＩＤ取得部１Ｂ６に出力した後、接続された医療機器から当該医療機器に固有の医療機器ＩＤを読み出し、読み出した医療機器ＩＤを医療機器ＩＤ取得部１Ｂ６に出力する。
【００５５】
医療機器ＩＤ取得部１Ｂ６は、医療機器を検出したことを示す医療機器検出信号を医療機器インターフェース部から受け取った場合に、当該医療機器検出信号を受け取った時刻を医療行為が開始された時刻である医療行為の開始時刻として、医療機器操作履歴記録部に記憶させる機能と、医療機器接続インターフェース部１Ｂ５から出力された医療機器ＩＤを受け取り、受け取った医療機器ＩＤを医療機器操作履歴記録部に記憶させる機能と、医療機器を検出したことを示す医療機器検出信号が検出されなくなった場合に、医療機器検出信号が検出されなくなった時刻を医療行為が終了された時刻である医療行為の終了時刻として、医療機器操作履歴記録部に記憶させる機能と、医療機器を検出したことを示す医療機器検出信号が検出されなくなった場合に、医療機器操作履歴記録部に記憶された医療機器の操作履歴のデータから医療行為履歴データファイルを生成させるための医療行為履歴ファイル生成命令を医療行為履歴ファイル化部１Ｂ１０に出力する機能と、医療機器を検出したことを示す医療機器検出信号が検出されなくなった場合に、医療機器の操作履歴のデータを医療行為履歴サーバ装置１Ｃに送信させるための送信要求を診療用データマッチングＩＤ付与部１Ｂ１１に出力する機能と、医療機器を検出したことを示す医療機器検出信号が検出されなくなった場合に、診療用データ保存部１Ｂ８に記憶された診療用データから診療用データファイルを生成させるための診療用ファイル生成命令を診療用データファイル化部１Ｂ１３に出力する機能と、医療機器を検出したことを示す医療機器検出信号が検出されなくなった場合に、診療用データを診療データサーバ装置１Ｄに送信させるための送信要求を医療行為用データマッチングＩＤ付与部１Ｂ１４に出力する機能とを有する。
【００５６】
医療機器操作履歴記録部１Ｂ７には、操作された医療機器のＩＤ、医療機器の操作が開始された時刻、換言すれば医療行為の開始時刻、医療機器の操作が終了された時刻、換言すれば医療行為の終了時刻との組を含む医療機器操作履歴情報が記憶されている。  
診療用データ保存部１Ｂ８には、医療機器インターフェース部に接続された医療機器によって検出されたバイタルデータの検出値と、バイタルデータの検出時刻と、医療機器のＩＤとを含む診療用データが記憶されている。
【００５７】
医療行為履歴ファイル保存部１Ｂ９には、医療機器のＩＤ、医療行為の開始時刻、医療機器のＩＤ、医療行為の開始時刻、医療行為の終了時刻、診療用データとマッチングするためのマッチングＩＤとを含むデータのファイルが記憶されている。
【００５８】
医療行為履歴ファイル化部１Ｂ１０は、医療機器操作履歴記録部に記憶された医療機器の操作履歴のデータから医療行為履歴データファイルを生成させるための医療行為履歴ファイル生成命令を医療機器ＩＤ取得部１Ｂ６から受け取ると、医療機器のＩＤ、医療行為の開始時刻、医療行為の終了時刻との組を含む医療機器操作履歴情報を医療機器操作履歴記録部から読み出し、読み出した医療機器のＩＤ、医療行為の開始時刻、医療行為の終了時刻との組を含む医療機器操作履歴データに、診療用データとマッチングするためのマッチングＩＤを付与した後、医療機器操作履歴データを含む任意の形式の医療機器操作履歴データファイルを生成して、生成した医療機器操作履歴データファイルのコピーを生成した後、生成した医療機器操作履歴データファイルのマスタを医療機器操作履歴データファイル記憶部に記憶させる機能と、生成した医療機器操作履歴データファイルのデータコピーを通信インターフェースから通信ネットワークを介して医療行為履歴サーバ装置１Ｃに出力する。
【００５９】
診療用データマッチングＩＤ付与部１Ｂ１１は、医療機器の操作履歴のデータを医療行為履歴サーバ装置１Ｃに送信させるための送信要求を医療機器ＩＤ取得部１Ｂ６から受け取ると、医療機器のＩＤ、医療行為の開始時刻、医療行為の終了時刻との組を含む医療機器操作履歴データを医療機器操作履歴記録部から読み出し、読み出した医療機器のＩＤ、医療行為の開始時刻、医療行為の終了時刻との組を含む医療機器操作履歴データに、診療用データとマッチングするためのマッチングＩＤを付与した後、診療用データとマッチングするためのマッチングＩＤを付与した医療機器操作履歴データを通信インターフェースから通信ネットワークを介して医療行為履歴サーバ装置１Ｃに出力させる。  
診療用データファイル保存部１Ｂ１２には、医療機器のＩＤと、医療行為者のＩＤと、患者のＩＤと、医療機器によって検出されたバイタルデータと、マッチングＩＤとが対応して記憶されたデータファイルが記憶されている。
【００６０】
診療用データファイル化部１Ｂ１３は、診療用データ保存部１Ｂ８に記憶された診療用データから診療用データファイルを生成させるための診療用ファイル生成命令を医療機器ＩＤ取得部１Ｂ６から受け取ると、医療機器インターフェース部に接続された医療機器によって検出されたバイタルデータの検出値と、バイタルデータの検出時刻と、医療機器のＩＤとを含む診療用データを診療用データ保存部１Ｂ８から読み出し、読み出したバイタルデータの検出値と、バイタルデータの検出時刻と、医療機器のＩＤとを含む診療用データから任意の形式の診療用データファイルを生成して、生成した診療用データファイルを診療用データファイル保存部１Ｂ１２に記憶させる機能を有する。
【００６１】
医療行為用データマッチングＩＤ付与部１Ｂ１４は、診療用データを診療データサーバ装置１Ｄに送信させるための送信要求を医療機器ＩＤ取得部１Ｂ６から受け取ると、バイタルデータの検出値と、バイタルデータの検出時刻と、医療機器のＩＤとを含む診療用データを診療用データ保存部１Ｂ８から読み出し、読み出したバイタルデータの検出値と、バイタルデータの検出時刻と、医療機器のＩＤとを含む診療用データに、医療行為用データとマッチングするためのマッチングＩＤを付与した後、医療行為用データとマッチングするためのマッチングＩＤを付与した診療用データを通信インターフェースから通信ネットワークを介して診療データサーバ装置１Ｄに出力させる。
【００６２】
通信インターフェース部１Ｂ１５は、診療用データマッチングＩＤ付与部１Ｂ１１によって診療用データとマッチングするためのマッチングＩＤを付与した医療機器操作履歴データを、通信ネットワークを介して医療行為履歴サーバ装置１Ｃに出力させたり、医療行為用データマッチングＩＤ付与部１Ｂ１４によって医療行為用データとマッチングするためのマッチングＩＤを付与した診療用データを通信インターフェースから通信ネットワークを介して診療用データサーバ装置に出力させたりするためのインターフェースである。
【００６３】
医療行為履歴サーバ装置１Ｃは、例えば医療行為を行う医療行為実行者を派遣する派遣会社等に設置されるサーバコンピュータであり、訪問者ＩＤ、位置情報、訪問時刻を含む訪問履歴のデータと、医療行為者ＩＤ、患者ＩＤ、医療行為の開始時刻、医療行為の終了時刻、診療用データとマッチングするためのマッチングＩＤが対応して記憶された医療行為履歴データベースを有している。
【００６４】
この医療行為履歴サーバ装置１Ｃは、医療行為者のＩＤを指定した位置情報の送信要求に応じて、通信ネットワークを介して返送された医療行為者のＩＤと、医療行為実行者の位置情報と、時刻のデータとを含む訪問履歴のデータを前述したＧＰＳ位置情報把握サーバ装置から受け取ると、受け取った医療行為者のＩＤと、医療行為実行者の位置情報と、時刻のデータとを含む訪問履歴のデータを医療行為履歴データベースに記憶させる機能と、訪問医療端末装置１Ｂから通信ネットワークを介して送信された医療機器のＩＤ、医療行為の開始時刻、医療機器のＩＤ、医療行為の開始時刻、医療行為の終了時刻、診療用データとマッチングするためのマッチングＩＤとを含む医療機器操作履歴データを受け取り、受け取った医療機器のＩＤ、医療行為の開始時刻、医療機器のＩＤ、医療行為の開始時刻、医療行為の終了時刻、診療用データとマッチングするためのマッチングＩＤとを医療行為履歴データベースに記憶させる機能と、ＧＰＳ位置情報把握サーバ装置４から送信済みの訪問履歴データと、診療用データとマッチングするためのマッチングＩＤを付与した医療機器操作履歴データとから、訪問履歴データと、診療用データとマッチングするためのマッチングＩＤを付与した医療機器操作履歴データとを関連付けた新たな紐付けデータベースを生成する機能とを有する。
【００６５】
診療データサーバ装置１Ｄは、例えば医師の常駐する医療機関に設置されるサーバコンピュータであり、医療機器のＩＤと、医療行為者のＩＤと、患者のＩＤと、医療機器によって検出されたバイタルデータと、マッチングＩＤとが対応して記憶された診療用データベースを有している。
【００６６】
この診療データサーバ装置１Ｄは、医療行為用データとマッチングするためのマッチングＩＤを付与した診療用データを、訪問医療端末装置１Ｂから受信し、受信した医療行為用データとマッチングするためのマッチングＩＤを付与した診療用データを保存する機能と、前述した診療用データの保存後に、医療行為用データとマッチングするためのマッチングＩＤをキーとして、医療行為履歴サーバ装置１Ｃに記憶された医療行為履歴データベースと、診療データサーバ装置１Ｄに記憶された診療用データとを照合する機能と、医療行為履歴サーバ装置１Ｃに記憶された医療行為履歴データベースと、診療データサーバ装置１Ｄに記憶された診療用データとの照合の結果、得られたデータを保存する機能とを有している。
【００６７】
次に、以上のように構成された診療行為の記録システムの実行する実行処理に関し、図面を参照して説明する。
【００６８】
図３は、本実施の形態に係る診療行為の記録システムの実行する実行処理を説明するためのシーケンス図である。
【００６９】
始めに、ＧＰＳ受信装置２は、訪問者の位置情報を特定する（ＳＴ１）。
【００７０】
次に、ＧＰＳ位置情報把握システム内のＧＰＳ位置情報把握サーバ装置４は、ＧＰＳ受信装置２のＩＤ、換言すればＧＰＳ受信装置２を携帯した訪問者のＩＤと、ＧＰＳ受信装置２２によって検出されたＧＰＳ受信装置２本体の位置情報、換言すれば当該ＧＰＳ受信装置２を携帯する医療行為を実行する医療行為実行者の位置情報と、時刻のデータとが対応して記憶されている位置情報データベースに、ＧＰＳ受信装置２から受け取った医療行為者のＩＤと、医療行為実行者の位置情報と、時刻のデータとを含む訪問履歴のデータを記憶させる（ＳＴ２）。
【００７１】
次に、医療行為履歴サーバ装置１Ｃは、医療行為者のＩＤを指定した位置情報の送信要求に応じて、通信ネットワークを介して返送された医療行為者のＩＤと、医療行為実行者の位置情報と、時刻のデータとを含む訪問履歴のデータを前述したＧＰＳ位置情報把握サーバ装置から受け取ると、受け取った医療行為者のＩＤと、医療行為実行者の位置情報と、時刻のデータとを含む訪問履歴のデータを医療行為履歴データベースに記憶させる（ＳＴ３）。
【００７２】
次に、訪問医療端末装置１Ｂ内の医療機器ＩＤ取得部１Ｂ６は、医療機器と訪問医療端末装置１Ｂとが接続されると（ＳＴ４）、接続された医療機器から医療機器接続インターフェース部１Ｂ５によって読み出された当該医療機器に固有の医療機器ＩＤを取得する（ＳＴ５）。
【００７３】
次に、医療機器ＩＤ取得部１Ｂ６は、医療機器を検出したことを示す医療機器検出信号を医療機器インターフェース部から受け取った場合に、当該医療機器検出信号を受け取った時刻を医療行為が開始された時刻である医療行為の開始時刻として、医療機器操作履歴記録部に記憶させる（ＳＴ６）。
【００７４】
次に、認証照合部１Ｂ３は、生体認証インターフェース部によって患者のバイオメトリクス情報が取得されると、受け取った患者のバイオメトリクス情報をキーとして検索を行い、当該検索の結果、バイオメトリクス情報と一致する患者のデータがあるかによって、患者の認証を実行し（ＳＴ７）、当該認証の結果を認証結果保存部１Ｂ４に記憶させる（ＳＴ８）。
【００７５】
次に、認証照合部１Ｂ３は、生体認証インターフェース部によって医療行為実行者のバイオメトリクス情報が取得されると、受け取った医療行為実行者のバイオメトリクス情報をキーとして検索を行い、当該検索の結果、バイオメトリクス情報と一致する医療行為実行者のデータがあるかによって、医療行為実行者の認証を実行し（ＳＴ９）、当該認証の結果を認証結果保存部１Ｂ４に記憶させる（ＳＴ１０）。
【００７６】
次に、医療機器は、当該医療機器の操作が医療行為実行者によってなされると（ＳＴ１１）、患者のバイタルデータを測定し（ＳＴ１２）、測定の結果、得られたバイタルデータを収集する（ＳＴ１３）。
【００７７】
次に、訪問医療端末装置１Ｂでは、収集されたバイタルデータが医療機器から送信されると（ＳＴ１４）、医療機器インターフェース部に接続された医療機器によって検出されたバイタルデータの検出値と、患者ＩＤと、バイタルデータの検出時刻と、医療機器のＩＤとを含む診療用データが診療用データ保存部１Ｂ８に記憶される（ＳＴ１５）。
【００７８】
次に、訪問医療端末装置１Ｂの医療機器ＩＤ取得部１Ｂ６は、医療機器の操作が終了された場合（ＳＴ１６）、換言すれば医療機器を検出したことを示す医療機器検出信号が検出されなくなった場合に、医療機器検出信号が検出されなくなった時刻を医療行為が終了された時刻である医療行為の終了時刻として、医療機器操作履歴記録部１Ｂ７に記憶させる（ＳＴ１７）。
【００７９】
次に、訪問医療端末装置１Ｂの診療用データマッチングＩＤ付与部１Ｂ１１は、医療機器の操作履歴のデータを医療行為履歴サーバ装置１Ｃに送信させるための送信要求を医療機器ＩＤ取得部１Ｂ６から受け取ると、医療機器のＩＤ、医療行為の開始時刻、医療行為の終了時刻との組を含む医療機器操作履歴データを医療機器操作履歴記録部から読み出し、読み出した医療機器のＩＤ、医療行為の開始時刻、医療行為の終了時刻との組を含む医療機器操作履歴データに、診療用データとマッチングするためのマッチングＩＤを付与した後、診療用データとマッチングするためのマッチングＩＤを付与した医療機器操作履歴データを通信インターフェースから通信ネットワークを介して医療行為履歴サーバ装置１Ｃに送信させる（ＳＴ１８）。
【００８０】
次に、医療行為履歴サーバ装置１Ｃは、訪問医療端末から送信された療用データとマッチングするためのマッチングＩＤを付与した医療機器操作履歴データを受信した後、受信した療用データとマッチングするためのマッチングＩＤを付与した医療機器操作履歴データを保存する（ＳＴ１９）。
【００８１】
次に、医療行為履歴サーバ装置１Ｃは、ＧＰＳ位置情報把握サーバ装置４から送信済みの訪問履歴データと、診療用データとマッチングするためのマッチングＩＤを付与した医療機器操作履歴データとから、訪問履歴データと、診療用データとマッチングするためのマッチングＩＤを付与した医療機器操作履歴データとの紐付けデータベースを生成する（ＳＴ２０）。
【００８２】
次に、医療行為用データマッチングＩＤ付与部１Ｂ１４は、診療用データを診療データサーバ装置１Ｄに送信させるための送信要求を医療機器ＩＤ取得部１Ｂ６から受け取ると、バイタルデータの検出値と、バイタルデータの検出時刻と、医療機器のＩＤとを含む診療用データを診療用データ保存部１Ｂ８から読み出し、読み出したバイタルデータの検出値と、バイタルデータの検出時刻と、医療機器のＩＤとを含む診療用データに、医療行為用データとマッチングするためのマッチングＩＤを付与した後、医療行為用データとマッチングするためのマッチングＩＤを付与した診療用データを通信インターフェースから通信ネットワークを介して診療データサーバ装置１Ｄに出力させる（ＳＴ２１）。
【００８３】
次に、診療データサーバ装置１Ｄは、医療行為用データとマッチングするためのマッチングＩＤを付与した診療用データを、訪問医療端末装置１Ｂから受信し、受信した医療行為用データとマッチングするためのマッチングＩＤを付与した診療用データを保存する（ＳＴ２２）。
【００８４】
次に、診療データサーバ装置１Ｄは、医療行為用データとマッチングするためのマッチングＩＤをキーとして、医療行為履歴サーバ装置１Ｃに記憶された訪問履歴データと、診療用データとマッチングするためのマッチングＩＤを付与した医療機器操作履歴データとを関連付けた紐付けデータベースと、診療データサーバ装置１Ｄに記憶された診療用データとを照合する（ＳＴ２３）。
【００８５】
次に、診療データサーバ装置１Ｄは、医療行為履歴サーバ装置１Ｃに記憶された医療行為履歴データベースと、診療データサーバ装置１Ｄに記憶された診療用データとの照合の結果、得られたデータベースを保存する（ＳＴ２４）。
【００８６】
なお、本実施の形態に係る医療行為の記録システムでは、診療データサーバ装置１Ｄは、医療行為履歴サーバ装置１Ｃに記憶された医療行為履歴データベースと、診療データサーバ装置１Ｄに記憶された診療用データとの照合の結果、得られたデータベースを保存する機能を有していたが、これに限らず、訪問医療端末又は外部の端末装置からの閲覧要求に応じて、医療行為履歴サーバ装置１Ｃに記憶された医療行為履歴データベースと、診療データサーバ装置１Ｄに記憶された診療用データとの照合の結果、得られたデータベースを表示画面に表示させてもよいことは言うまでもない。
【００８７】
以上のような一連の処理により、本実施の形態に係る医療行為の記録システムは、その実行処理を終了する。
【００８８】
上述したように、本実施の形態に係る医療行為の記録システムによれば、医療行為を実行する医療行為者のＩＤ、医療行為の対象となる患者のＩＤ、医療行為に使用される医療機器のＩＤ、医療機器の使用開始時刻、及び医療機器の使用終了時刻を少なくとも含む医療行為の履歴情報が記憶されるので、医療行為者の行う医療行為を管理することによって、高齢者に対して十分な医療行為の機会を確保すると共に、不適切な医療行為がなされることを防止して患者の利益を確保することが可能になる。
【００８９】
また、本実施の形態に係る医療行為の記録システムによれば、訪問介護、訪問医療における、訪問者の適切な医療行為の実施を促し、訪問者の虚偽の訪問、虚偽の医療行為を防止することが出来る。
【００９０】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【００９１】
その他、本発明は、その要旨を逸脱しない範囲内で種々変更して実施することが出来る。
【図面の簡単な説明】
【００９２】
【図１】本発明の端末装置を適用した医療行為の記録システム１の全体構成の一例を示す模式図である。
【図２】本実施の形態に係る端末装置を適用した医療行為の記録システム１の全体構成の一例を示す機能ブロック図である。
【図３】本実施の形態に係る診療行為の記録システムの実行する実行処理を説明するためのシーケンス図である。
【符号の説明】
【００９３】
１  医療行為の記録システム、１Ａ  ＧＰＳ位置情報把握システム、１Ａ１  基準局、１Ａ１１  ＧＰＳ受信機、１Ａ１２  基準局位置記憶部、１Ａ１３  位置補正演算部、１Ａ１４  データリンク送信部、２  ＧＰＳ受信装置、２Ａ  ＧＰＳ受信機、２Ａ−１受信アンテナ、２Ｂ  測定データ一時記憶部、２Ｃ  データリンク受信部、２Ｃ−１  受信アンテナ、２Ｄ  測位表示部、２Ｅ  無線ＬＡＮ端末、３  無線アクセスポイント、３−１受信アンテナ、４  ＧＰＳ位置情報記憶サーバ装置、５  ＬＡＮ、６  ルータ、７  通信ネットワーク、１Ｂ  訪問医療端末装置、１Ｂ１  生体認証用インターフェース部、１Ｂ２  生体情報データベース、１Ｂ３  認証照合部、１Ｂ４  認証結果保存部、１Ｂ５  医療機器接続インターフェース部、１Ｂ６  医療機器ＩＤ取得部、１Ｂ７  医療機器操作履歴記録部、１Ｂ８  診療用データ保存部、１Ｂ９  医療行為履歴ファイル保存部、１Ｂ１０  医療行為履歴ファイル化部、１Ｂ１１  診療用データマッチングＩＤ付与部、１Ｂ１２  診療用データファイル保存部、１Ｂ１３  診療用データファイル化部、１Ｂ１４  医療行為用データマッチングＩＤ付与部、１Ｂ１５  通信インターフェース部、１Ｃ  医療行為履歴サーバ装置、１Ｄ  診療データサーバ装置
【図１】
2009289067.tif 000003
【図２】
2009289067.tif 000004
【図３】
2009289067.tif 000005